(57)【要約】【課題】ユーザが、撮影して得られた画像を選択するに当たり、より効率的に画像の選択を行うことが可能な撮影装置、情報処理装置、制御方法、及びプログラムを提供する。【解決手段】撮影装置１００において撮影して得られた画像を再生表示する際に（ステップＳ１００からステップＳ１０２）、連続して撮影して得られた画像、あるいは類似画像同士を再生表示する場合は（ステップＳ１０３からステップＳ１０６）、通常用いられる再生表示の方法を用いずに、連写画像選択画面６００や通常画像選択画面７００を用いて、再生表示を行うことで、ユーザへ画像選択させる（ステップＳ１０７、ステップＳ１０８）。【選択図】図９
2014107634.tif 000002
【特許請求の範囲】
【請求項１】
撮影して得られた画像を再生表示する撮影装置であって、
前記撮影して得られた画像が連続して撮影して得られた画像である場合、前記画像のサムネイル画像を所定画像数分、表示部へ表示するサムネイル画像表示手段と、
前記撮影して得られた画像を順次表示する画像表示手段と、
を備え、
前記サムネイル画像表示手段は、前記画像表示手段によって順次表示される画像にあわせて、前記表示されている画像の前記表示部に表示されたサムネイル画像を識別表示することを特徴とする撮影装置。
【請求項２】
前記サムネイル画像表示手段は、前記連続して撮影して得られた画像のうち、写りの良い画像の前記表示部に表示されたサムネイル画像を、他のサムネイル画像と異ならせて表示を行うことを特徴する請求項１に記載の撮影装置。
【請求項３】
前記サムネイル画像表示手段は、前記連続して撮影して得られた画像の撮影日時を用いて、所定の撮影日時の範囲内毎に、写りの良い画像の前記表示部に表示されたサムネイル画像を、他のサムネイル画像と異ならせて表示を行うことを特徴とする請求項２に記載の撮影装置。
【請求項４】
前記サムネイル画像に対して選択を受付けることによって、前記サムネイル画像の画像を選択するための選択受付手段を備えたことを特徴とする請求項１乃至３の何れか１項に記載の撮影装置。
【請求項５】
前記選択受付手段は、前記サムネイル画像表示手段によって写りの良い画像として表示されたサムネイル画像は、選択を受付けた画像として扱うことを特徴とする請求項４に記載の撮影装置。
【請求項６】
前記サムネイル画像表示手段は、前記撮影して得られた各画像が類似画像である場合、前記類似画像と見做された画像のサムネイル画像を所定画像数分、表示部へ表示することを特徴とする請求項１乃至５の何れか１項に記載の撮影装置。
【請求項７】
前記サムネイル画像表示手段は、前記類似画像と見做された画像のうち、写りの良い画像のサムネイル画像を前記表示部に表示することを特徴する請求項６に記載の撮影装置。
【請求項８】
撮影装置において撮影して得られた画像を再生表示する情報処理装置であって、
前記撮影して得られた画像が連続して撮影して得られた画像である場合、前記画像のサムネイル画像を所定画像数分、表示部へ表示するサムネイル画像表示手段と、
前記撮影して得られた画像を順次表示する画像表示手段と、
を備え、
前記サムネイル画像表示手段は、前記画像表示手段によって順次表示される画像にあわせて、前記表示されている画像の前記表示部に表示されたサムネイル画像を識別表示することを特徴とする情報処理装置。
【請求項９】
撮影して得られた画像を再生表示する撮影装置の制御方法であって、
前記撮影装置のサムネイル画像表示手段は、前記撮影して得られた画像が連続して撮影して得られた画像である場合、前記画像のサムネイル画像を所定画像数分、表示部へ表示するサムネイル画像表示ステップ、
前記撮影装置の画像表示手段は、前記撮影して得られた画像を順次表示する画像表示ステップ、
を含み、
前記サムネイル画像表示ステップは、前記画像表示手段によって順次表示される画像にあわせて、前記表示されている画像の前記表示部に表示されたサムネイル画像を識別表示することを特徴とする撮影装置の制御方法。
【請求項１０】
撮影して得られた画像を再生表示する撮影装置において読取実行可能なプログラムであって、
前記撮影装置を、
前記撮影して得られた画像が連続して撮影して得られた画像である場合、前記画像のサムネイル画像を所定画像数分、表示部へ表示するサムネイル画像表示手段と、
前記撮影して得られた画像を順次表示する画像表示手段と、
して機能させ、
前記サムネイル画像表示手段は、前記画像表示手段によって順次表示される画像にあわせて、前記表示されている画像の前記表示部に表示されたサムネイル画像を識別表示するように機能させることを特徴とするプログラム。
【請求項１１】
撮影装置において撮影して得られた画像を再生表示する情報処理装置の制御方法であって、
前記情報処理装置のサムネイル画像表示手段は、前記撮影して得られた画像が連続して撮影して得られた画像である場合、前記画像のサムネイル画像を所定画像数分、表示部へ表示するサムネイル画像表示ステップ、
前記情報処理装置の画像表示手段は、前記撮影して得られた画像を順次表示する画像表示ステップ、
を含み、
前記サムネイル画像表示ステップは、前記画像表示手段によって順次表示される画像にあわせて、前記表示されている画像の前記表示部に表示されたサムネイル画像を識別表示することを特徴とする撮影装置の制御方法。
【請求項１２】
撮影装置において撮影して得られた画像を再生表示する情報処理装置において読取実行可能なプログラムであって、
前記情報処理装置を、
前記撮影して得られた画像が連続して撮影して得られた画像である場合、前記画像のサムネイル画像を所定画像数分、表示部へ表示するサムネイル画像表示手段と、
前記撮影して得られた画像を順次表示する画像表示手段と、
して機能させ、
前記サムネイル画像表示手段は、前記画像表示手段によって順次表示される画像にあわせて、前記表示されている画像の前記表示部に表示されたサムネイル画像を識別表示するように機能させることを特徴とするプログラム。
【発明の詳細な説明】
【技術分野】
【０００１】
撮影装置において撮影して得られた画像データの表示方法に関する。
【背景技術】
【０００２】
近年、デジタルカメラが安価で普及されたことにより、様々な写真を撮る機会が増えてきている。
【０００３】
子供等の動きのある被写体の場合、連続で多くの写真を撮る連続撮影を行うケースや、あるいは、風景写真や記念写真等を撮る場合は、似たような構図を何枚も撮影することを行うケースが生じ得る。
【０００４】
このようなケースであると、撮影して得られた写真は、同じような被写体が写されており、ユーザは、撮影後、必要と思われる写真を選択して、現像する、といったことが行われている。
【０００５】
デジタルカメラ１台で撮影して得られた画像を選別するには、撮影の仕方によって、その選別方法を、ユーザフレンドリな方法でユーザへ提供することが好ましく、例えば、スティッチアシストモード（パノラマ画像作成用モード）で撮影して得られた画像や連写モードで撮影して得られた画像をサムネイル画像としてユーザへ表示した際に、何れの撮影方法に対しても、その画像同士が、どの組に該当するのかを、ユーザに対して識別表示することで、ユーザフレンドリな機能を提供している技術が存在する（例えば、特許文献１参照）。
【先行技術文献】
【特許文献】
【０００６】
【特許文献１】特開２００１−６９４５５号公報
【発明の概要】
【発明が解決しようとする課題】
【０００７】
しかしながら、特許文献１に記載の技術では、撮影モードの違いを意識しながら、画像選択を行うことができるものの、最終的な画像選択に於いては、１枚もしくは複数枚が表示された画像を選択させる方法をとっており、撮影して得られた画像が多数存在し、比較対象が１画面に表示されない時、ユーザにとっては、画像選択を行うことが難しい、という問題が生じる。
【０００８】
また、撮影して得られた画像のサムネイル画像を、全て１画面に表示するような態様を撮ったとしても、１枚のサムネイル画像のサイズが小さくなることもあり、大雑把な構図などの確認を行うことが可能となるが、写真館の細かな違いを把握して、画像選択を行うことが難しいという問題も生じ得る。
【０００９】
そこで、本願発明では、ユーザが、撮影して得られた画像を選択するに当たり、より効率的に画像の選択を行うことが可能な撮影装置、情報処理装置、制御方法、及びプログラムを提供することを目的とする。
【課題を解決するための手段】
【００１０】
上記目的を達成するための第１の発明は、撮影して得られた画像を再生表示する撮影装置であって、前記撮影して得られた画像が連続して撮影して得られた画像である場合、前記画像のサムネイル画像を所定画像数分、表示部へ表示するサムネイル画像表示手段と、前記撮影して得られた画像を順次表示する画像表示手段と、を備え、前記サムネイル画像表示手段は、前記画像表示手段によって順次表示される画像にあわせて、前記表示されている画像の前記表示部に表示されたサムネイル画像を識別表示することを特徴とする撮影装置である。
【００１１】
上記目的を達成するための第２の発明は、撮影装置において撮影して得られた画像を再生表示する情報処理装置であって、前記撮影して得られた画像が連続して撮影して得られた画像である場合、前記画像のサムネイル画像を所定画像数分、表示部へ表示するサムネイル画像表示手段と、前記撮影して得られた画像を順次表示する画像表示手段と、を備え、前記サムネイル画像表示手段は、前記画像表示手段によって順次表示される画像にあわせて、前記表示されている画像の前記表示部に表示されたサムネイル画像を識別表示することを特徴とする情報処理装置である。
【００１２】
上記目的を達成するための第３の発明は、撮影して得られた画像を再生表示する撮影装置の制御方法であって、前記撮影装置のサムネイル画像表示手段は、前記撮影して得られた画像が連続して撮影して得られた画像である場合、前記画像のサムネイル画像を所定画像数分、表示部へ表示するサムネイル画像表示ステップ、前記撮影装置の画像表示手段は、前記撮影して得られた画像を順次表示する画像表示ステップ、を含み、前記サムネイル画像表示ステップは、前記画像表示手段によって順次表示される画像にあわせて、前記表示されている画像の前記表示部に表示されたサムネイル画像を識別表示することを特徴とする撮影装置の制御方法である。
【００１３】
上記目的を達成するための第４の発明は、撮影して得られた画像を再生表示する撮影装置において読取実行可能なプログラムであって、前記撮影装置を、前記撮影して得られた画像が連続して撮影して得られた画像である場合、前記画像のサムネイル画像を所定画像数分、表示部へ表示するサムネイル画像表示手段と、前記撮影して得られた画像を順次表示する画像表示手段と、して機能させ、前記サムネイル画像表示手段は、前記画像表示手段によって順次表示される画像にあわせて、前記表示されている画像の前記表示部に表示されたサムネイル画像を識別表示するように機能させることを特徴とするプログラムである。
【００１４】
上記目的を達成するための第５の発明は、撮影装置において撮影して得られた画像を再生表示する情報処理装置の制御方法であって、前記情報処理装置のサムネイル画像表示手段は、前記撮影して得られた画像が連続して撮影して得られた画像である場合、前記画像のサムネイル画像を所定画像数分、表示部へ表示するサムネイル画像表示ステップ、前記情報処理装置の画像表示手段は、前記撮影して得られた画像を順次表示する画像表示ステップ、を含み、前記サムネイル画像表示ステップは、前記画像表示手段によって順次表示される画像にあわせて、前記表示されている画像の前記表示部に表示されたサムネイル画像を識別表示することを特徴とする撮影装置の制御方法である。
【００１５】
上記目的を達成するための第６の発明は、撮影装置において撮影して得られた画像を再生表示する情報処理装置において読取実行可能なプログラムであって、前記情報処理装置を、前記撮影して得られた画像が連続して撮影して得られた画像である場合、前記画像のサムネイル画像を所定画像数分、表示部へ表示するサムネイル画像表示手段と、前記撮影して得られた画像を順次表示する画像表示手段と、して機能させ、前記サムネイル画像表示手段は、前記画像表示手段によって順次表示される画像にあわせて、前記表示されている画像の前記表示部に表示されたサムネイル画像を識別表示するように機能させることを特徴とするプログラムである。
【発明の効果】
【００１６】
本発明によれば、ユーザが、撮影して得られた画像を選択するに当たり、その撮影方法によって、ユーザに画像選択させるための当該画像の表示方法を切り替えることで、より効率的に画像の選択を行うことができる、という効果を奏する。
【図面の簡単な説明】
【００１７】
【図１】本発明の実施形態に係る撮影装置のハードウェア構成を示す構成図である。
【図２】本発明の実施形態に係る１枚再生画面の構成を示す構成図である。
【図３】本発明の実施形態に係るマルチ再生画面の構成を示す構成図である。
【図４】本発明の実施形態に係る設定画面の構成を示す構成図である。
【図５】本発明の実施形態に係る詳細設定画面の構成を示す構成図である。
【図６】本発明の実施形態に係る連写画像選択画面の構成を示す構成図である。
【図７】本発明の実施形態に係る連写画像選択画面の構成を示す構成図である。
【図８】本発明の実施形態に係る通常画像選択画面の構成を示す構成図である。
【図９】本発明の実施形態に係る撮影装置における撮影画像の選択処理を示すフローチャートである。
【図１０】本発明の実施形態に係る撮影装置における類似画像判別処理を示すフローチャートである。
【図１１】本発明の実施形態に係る撮影装置における採用候補画像の自動選択処理を示すフローチャートである。
【図１２】本発明の実施形態に係る撮影装置における連写画像グループの採用候補画像の自動選択処理を示すフローチャートである。
【図１３】本発明の実施形態に係る撮影装置における通常画像グループの採用候補画像の自動選択処理を示すフローチャートである。
【図１４】本発明の実施形態に係る撮影装置における採用画像の選択処理を示すフローチャートである。
【図１５】本発明の実施形態に係る撮影装置における連写画像の選択用画面の作成処理を示すフローチャートである。
【図１６】本発明の実施形態に係る撮影装置における連写画像選択用モードで画像を再生する処理を示すフローチャートである。
【図１７】本発明の実施形態に係る撮影装置における通常画像の選択用画面の作成処理を示すフローチャートである。
【図１８】本発明の実施形態に係る撮影装置における通常画像選択用モードで画像を再生する処理を示すフローチャートである。
【図１９】本発明の実施形態に係る撮影装置における各処理に於いて用いられるテーブルのレイアウトを示す構成図である。
【発明を実施するための形態】
【００１８】
以下、図面を参照して、本発明の実施形態を詳細に説明する。まず、図１を参照して、本発明を実施する撮影装置１００のハードウェア構成について説明する。
【００１９】
撮影装置１００は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００２０】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００２１】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている
【００２２】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００２３】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００２４】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。
【００２５】
電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２６】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２７】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２８】
バッファメモリ１１１には、画像処理部１０４で画像処理が行われる際に、一時的に画像データが保存される。フラッシュＲＯＭ１１２には、撮影装置１００の各種設定情報や、ユーザ認証情報が保存される。Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００２９】
カードホルダ１１４は、記録媒体であるメモリカード１１５を撮影装置１００に着脱可能にする機構を備えると共に、メモリカード１１５との間でデータ通信が可能な電気接点を備える。また、カードホルダ１１４は、撮影装置１００で利用される記録媒体の種類に応じた構造を有する。メモリカード１１５は、フラッシュメモリなどの半導体記憶素子を内蔵し、カードホルダ１１４に着脱可能なカード型の記録媒体である。
【００３０】
ディスプレイドライバ１１６は、システムコントローラ１１０から出力される画像データを液晶ディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００３１】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、システムコントローラ１１０から出力される命令に従いランプ１２９の制御を行う。
【００３２】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００３３】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００３４】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネルの特性を生かした移行方法であってもよい。
【００３５】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
【００３６】
メモリカード１１５から読み出された画像データは、Ｉ／Ｆ回路１１３およびシステムコントローラ１１０を介して、ディスプレイドライバ１１６へ入力される。ディスプレイドライバ１１６は、入力された画像データを液晶ディスプレイ１１７に表示させる。
【００３７】
カーソルキー１２４は、ユーザが撮影装置１００に対する所定の指示や機能選択を行うためのキーである。ユーザは、カーソルキー１２４により、撮影装置１００に対する各種設定情報やユーザ認証情報などの操作入力を行うことができる。
【００３８】
また、カーソルキー１２４により、液晶ディスプレイ１１７にメニュー画面や撮影装置１００に対して各種設定情報を設定するための画面を表示したり、撮影装置１００が有する所定の機能を選択することができる。
【００３９】
なお、画像データの表示方法としては、液晶ディスプレイ１１７上に撮影した画像を１枚のみ表示する構成に限定されず、サムネイル画像を含む複数の画像を表示するように構成してもよい。また、表示されている画像データの切り替えについては、カーソルキー１２４の押下に限らず、他のボタンの押下などの一般的な方法を利用して切り替えられる構成にしてもよい。
【００４０】
これらのカーソルキー１２４を用いた入力を代替するものとして、液晶ディスプレイ１１７のタッチパネルの特性を生かして、ユーザが指などで直接触れることにより、入力させることも可能である。
【００４１】
レンズ制御部１２７は、レンズ１０１のレンズに対して、ズーム、フォーカス、絞り等の制御を行う。また、撮影装置１００は、被写体を撮像して画像データを得る撮影モードと当該撮影モードで得た画像データを表示する閲覧（再生）モードとを備える。
【００４２】
なお、音声についてはマイクやスピーカを用いることで、撮影装置１００と同様に記録、及び再生が可能である。また、映像（動画）記録時には、通常音声記録も同時に行われ、圧縮部１０８および伸長部１０９で、映像と音声が多重化される。
【００４３】
また、撮影装置１００における撮影動作について図１を用いて説明する。まず、ユーザが電源スイッチ１２１を操作し、撮影装置１００の電源をＯＮにする。すると、撮影装置１００に内蔵されているバッテリー（不図示）から各回路へ電源供給されて、撮影装置１００の起動処理（レンズバリアを開く動作制御およびマイクロコンピューターのリセット処理など）が行われる。
【００４４】
撮影装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４５】
撮影装置１００が撮影モードに移行すると、光学画像がレンズ１０１を介して撮影装置１００内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００４６】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。
【００４７】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００４８】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。
【００４９】
ディスプレイドライバ１１６は、入力される画像データ（デジタル信号）をアナログ画像信号に変換すると共に、アナログ画像信号に基づく画像のサイズを液晶ディスプレイ１１７で表示可能なサイズに調整する。
【００５０】
また、ディスプレイドライバ１１６は、液晶ディスプレイ１１７に画像を表示させるよう制御する。このとき、液晶ディスプレイ１１７に表示される画像は、ＣＣＤ１０２、ＡＤＣ１０３、および画像処理部１０４で、連続的に信号処理されて生成される画像（スルー画像）である。
【００５１】
液晶ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００５２】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介して液晶ディスプレイ１１７に表示される。また、圧縮された画像データは、カードホルダ１１４を介してメモリカード１１５に記録される。
【００５３】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。
【００５４】
書込み部１３０は、カーソルキー１２４により指示入力された設定情報や画像データが属するグループ情報（詳細後述）等を当該画像データに対して、書込みを行う。例えば、デジタルカメラの機種名や、撮影日時、露出情報、撮影位置等が入力されたＥｘｉｆ（Exchangeable Image File Format）に対して、書込み編集を行う。
【００５５】
以上が図１に示す、本発明を実施する撮影装置１００のハードウェア構成についての説明である。
【００５６】
図２には、撮影装置１００の液晶ディスプレイ１１７に表示される１枚再生画面２００が示されている。
【００５７】
１枚再生画面２００は、撮影して得られた１枚の画像あるいは画像グループの画像を表示させておき、画像グループの画像が表示されている時は、ユーザが、液晶ディスプレイ１１７に触れることにより、再生開始指示を受付け、その画像グループの再生を開始する。
【００５８】
ここでいう画像グループとは、連写によって得られた画像を１つのグループとして見做しているグループを言い、あるいは、通常通り１枚ずつ撮影して得られた画像に対して類似となる画像を１つのグループと見做しているグループを言う。
【００５９】
また、１枚再生画面２００は、表示されている画像が、１枚の画像であるか、あるいは画像グループの画像であるか、を識別するために、画像グループアイコン２０１を備えており、この画像グループアイコン２０１が表示されている場合は、1枚再生画面に表示されている画像は、画像グループの画像であることを示し、画像グループアイコン２０１が表示されていない場合は、画像グループの画像ではなく、１枚の画像であることを示す。
【００６０】
図３には、撮影装置１００の液晶ディスプレイ１１７に表示されるマルチ再生画面３００が示されている。
【００６１】
マルチ再生画面３００は、撮影して得られた１枚の画像あるいは画像グループの画像を混在して表示させておき、画像グループの画像が表示されている時は、ユーザが液晶ディスプレイ１１７に表示された画像グループの画像に触れることにより、再生開始指示を受付け、その画像グループの再生を開始する。
【００６２】
尚、液晶ディスプレイ１１７に表示された画像が画像グループの画像であるか否かについては、３０１に示されるように画像が重なって表示されているような表示方法を行っている画像は、画像グループの画像であることを示し、３０１のように表示されていない画像は、１枚の画像であることを示している。
【００６３】
図４には、撮影装置１００の液晶ディスプレイ１１７に表示される設定画面４００が示されている。
【００６４】
設定画面４００は、撮影して得られた画像を再生する時、画像グループとして表示を行う際に必要となる設定情報を入力するための画面であり、ユーザが、液晶ディスプレイ１１７に触れると、実際に設定情報を入力するための詳細設定画面５００（図５）が液晶ディスプレイ１１７に表示される。
【００６５】
詳細設定画面５００は、撮影して得られた画像を再生するにあたり、画像グループとして再生表示を行うことを行うか否かを設定したり、画像グループとして再生表示を行う際に必要となる情報の設定を行う。
【００６６】
図６には、撮影装置１００の液晶ディスプレイ１１７に表示される連写画像選択画面６００が示されている。
【００６７】
連写画像選択画面６００は、連写して得られた画像を再生するためのものであり、連写して得られた各画像から作成されたサムネイル画像を表示する。
【００６８】
また、連写画像選択画面６００は、主連写画像表示領域６０１と副連写画像表示領域６０２とを備えており、連写して得られた画像が、被写体の動作が分かるように、主連写画像表示領域６０１には、時系列に、１枚ずつ画像が自動で連続して表示され、副連写画像表示領域６０２には、時系列に、サイズが縮小化されたサムネイル画像が表示されており、主連写画像表示領域６０１に表示されている１枚の画像と、同じ画像のサムネイル画像が、副連写画像表示領域６０２に表示されている。
【００６９】
主連写画像表示領域６０１は、スライドショー形式で、画像が表示されるが、現在、表示されている画像と副連写画像表示領域６０２に表示されたサムネイル画像は、他のサムネイル画像と識別表示するために、ハイライト表示（あるいは外枠を太枠で表示）等を行うことで、副連写画像表示領域６０２に表示された複数のサムネイル画像のうち、主連写画像表示領域６０１に表示されている画像が、どのサムネイル画像であるのかを特定することが可能となる。これによって、サイズが縮小化されたサムネイル画像を詳細に把握することが可能となるため、ユーザは、より所望する画像を適切に選択することが可能となる。
【００７０】
また、副連写画像表示領域６０２に表示されたサムネイル画像に関しては、所定条件を満たす画像を良く撮れた画像（ベストショット画像）として、自動判別された画像と、そうでない画像を識別表示するため、ベストショット画像として判別されなかった画像のサムネイル画像は、グレー表示させておき、ベストショット画像して判別された画像のサムネイル画像は、連写用チェックボックス６０３に印を設定する。
【００７１】
尚、ベストショット画像を判別する方法としては、従来から存在する既存技術を適用し、当該ベストショット画像を判別するための所定条件については、詳細設定画面５００において設定することが可能である。
【００７２】
この連写用チェックボックス６０３は、ユーザが、連写して得られた画像のなかから、ベストショット画像として画像を選択する際に、このチェックボックスに印を設定するためのものであり、連写用チェックボックス６０３に印が設定されていない状態で、副連写画像表示領域６０２に表示されたサムネイル画像にユーザが触れると、触れたサムネイル画像の下に位置する連写用チェックボックス６０３に印が設定され、連写用チェックボックス６０３に印が設定されている状態で、副連写画像表示領域６０２に表示されたサムネイル画像にユーザが触れると、触れたサムネイル画像の下に位置する連写用チェックボックス６０３に印が解除される。
【００７３】
つまり、連写用チェックボックス６０３に印が設定されているということは、連写用チェックボックス６０３の上に位置するサムネイル画像が、ユーザによって、選択されていることを示している。
【００７４】
また、連写用チェックボックス６０３に印が設定されると、左から順に、つまり時系列順に、印が設定された連写用チェックボックス６０３の数を加算しながら、枚数６０４に選択枚数を表示していく。
【００７５】
例えば、印が設定された連写用チェックボックス６０３のうち、最も左の連写用チェックボックス６０３の左側の枚数６０４には、１が表示され、左から２番目の連写用チェックボックス６０３の左側の枚数６０４には、２が表示される。
【００７６】
図７は、図６に示す連写画像選択画面６００が示されており、連写画像選択画面６００に、スライドショー形式で表示された画像が、全て表示された時の状態を示しており、このタイミングで、候補確定ボタン６０５が表示され、ユーザが選択を所望する画像が、既に選択済みである、つまり、連写用チェックボックス６０３に印がなされている場合、ユーザは、候補確定ボタン６０５に触れることによって、連写用チェックボックス６０３に印がなされたサムネイル画像の選択が確定される。
【００７７】
また、ユーザは、連写画像選択画面６００に表示された画像のうち、自動でベストショット画像として選択された画像以外の画像を選択する場合は、そのサムネイル画像に触れることによって、連写用チェックボックス６０３に印がなされ、選択状態となり、一方、自動でベストショット画像として選択された画像を選択状態から解除する場合も、そのサムネイル画像に触れることによって、連写用チェックボックス６０３に印が解除され、選択状態が解除される。
【００７８】
尚、副連写画像表示領域６０２に表示されたサムネイル画像が多数存在し、連写画像選択画面６００に表示しきれない場合は、スクロールバーや、前あるいは次へ進むための各ボタンを設けることで、ユーザは、連写画像選択画面６００に表示しきれないが、参照したい画像を参照することが可能となる。
【００７９】
図８には、撮影装置１００の液晶ディスプレイ１１７に表示される通常画像選択画面７００が示されている。
【００８０】
通常画像選択画面７００は、連写ではなく通常通り撮影して得られた画像を再生するためのものであり、撮影して得られた各画像から作成されたサムネイル画像を表示する。
【００８１】
また、通常画像選択画面７００は、主通常画像表示領域７０１と副通常画像表示領域７０２とを備えており、主通常画像表示領域７０１には、１枚ずつ画像が自動で連続して表示され、副通常画像表示領域７０２には、サイズが縮小化されたサムネイル画像が表示されており、主通常画像表示領域７０１に表示されている１枚の画像と、同じ画像のサムネイル画像が、副通常画像表示領域７０２に表示されている。
【００８２】
主通常画像表示領域７０１は、スライドショー形式で、画像が表示されるが、現在、表示されている画像と副通常画像表示領域７０２に表示されたサムネイル画像は、他のサムネイル画像と識別表示するために、ハイライト表示等を行うことで、副通常画像表示領域７０２に表示された複数のサムネイル画像のうち、主通常画像表示領域７０１に表示されている画像が、どのサムネイル画像であるのかを特定することが可能となる。これによって、サイズが縮小化されたサムネイル画像を詳細に把握することが可能となるため、ユーザは、より所望する画像を適切に選択することが可能となる。
【００８３】
また、副通常画像表示領域７０２に表示されたサムネイル画像に関しては、初めて表示された状態では、通常用チェックボックス７０３に印が設定された状態で表示され、ユーザが、選択状態から解除したい場合は、そのサムネイル画像に触れることにより、通常用チェックボックス７０３の印が解除されて、選択状態が解除され、選択が解除されると、そのサムネイル画像は、通常画像選択画面７００から表示されなくなる。
【００８４】
次に図９に示すフローチャートを用いて、撮影して得られた画像の表示処理について説明する。尚、本フローチャートにおける各ステップは、撮影装置１００のシステムコントローラ１１０の制御の下、実行される。
【００８５】
ステップＳ１００では、ユーザが、モードダイヤル１２２を操作することによって、撮影モードを選択した後、撮影装置１００において被写体の撮影が行われ、ステップＳ１０１では、ステップＳ１００において撮影して得られた画像をメモリカード１１５へ記憶する。
【００８６】
ステップＳ１０２では、ユーザが、閲覧ボタン１２６を押下すると、再生モードの選択を受付け、メモリカード１１５へ記憶した画像の再生が開始する。
【００８７】
ステップＳ１０３では、撮影装置１００のフラッシュＲＯＭ１１２に記憶された設定情報を記憶する設定情報テーブル（図１９参照）の画像Ｇｒ表示フラグを読取、ＯＮであるかＯＦＦであるかを判定する。
【００８８】
この設定情報テーブルは、撮影装置１００に於いて実行される処理に於いて必要となる設定情報を記憶するためのテーブルであり、画像をそのまま表示するか、あるいは、画像を画像グループとしてまとめた後、この画像グループとして表示を行うか示す画像Ｇｒ表示フラグ、画像グループを生成する際に、連写によって画像グループとしたのか、あるいは、連写でなく類似画像を画像グループとしたのかを決める際に用いる連写画像判別用閾値、ユーザに画像選択させる事前に、自動で採用候補画像を絞り込むにあたり、その絞り込みを行う画像の数を示す採用候補画像数等を含んで構成されている。
【００８９】
画像Ｇｒ表示フラグがＯＮである場合、ステップＳ１０４へ処理を進め、画像Ｇｒ表示フラグがＯＦＦである場合、ステップＳ１０９へ処理を進める。
【００９０】
ステップＳ１０４では、画像と他の画像とを用いて、類似画像の判別処理を行うが、詳細は、図１０を用いて後述する。
【００９１】
ステップＳ１０５では、図２に示す１枚再生画面２００、あるいはマルチ再生画面３００を表示する。この何れの画面を表示するのは、ステップＳ１０４において、単に、１枚の画像、あるいは１つの画像グループの画像を表示する場合には、１枚再生画面２００を表示し、それ以外の場合は、マルチ再生画面３００を表示する。
【００９２】
尚、表示する際に、ステップＳ１０４において、画像グループの画像については、
【００９３】
ステップＳ１０６では、１枚再生画面２００、あるいはマルチ再生画面３００に対して、画像グループアイコン２０１、あるいは画像グループ３０１のような表示を行う。
【００９４】
ステップＳ１０６では、ユーザが、１枚再生画面２００、あるいはマルチ再生画面３００に表示された画像グループの画像に触れられたか否かを判定し、触れられたと判定した場合は、ステップＳ１０７へ処理を進める。
【００９５】
ステップＳ１０７では、採用候補画像を選択する処理を行うが、詳細は、図１１を用いて説明する。
【００９６】
ステップＳ１０９では、液晶ディスプレイ１１７に通常用いられているノーマルな再生画面（不図示）を表示して、画像の再生表示を行う。
【００９７】
次に図１０に示すフローチャートを用いて類似画像自動判別処理について説明する。尚、本フローチャートにおける処理は、メモリカード１１５に於記憶された全ての画像に対して処理が行われる。
【００９８】
ステップＳ２００では、画像のＥｘｉｆ情報に含まれる画像Ｇｒタグに画像Ｇｒであることを示す情報が設定されているか否かを判定し、設定されている場合、処理を終了し、設定されていない場合、ステップＳ２０１へ処理を進める。
【００９９】
Ｅｘｉｆ情報には、画像が画像グループに属しているか否かを示す画像Ｇｒタグを有しており、この画像Ｇｒタグは、連写によって画像グループとされた、あるいは、連写に依らず類似画像として画像グループとされた、更には、画像グループとして見做さない、といったことを識別するための情報が設定される。尚、初期設定時には、ＯＦＦが設定されている。
【０１００】
ステップＳ２０１では、画像に対して撮影前後の画像との撮影時刻の差が、閾値以内であるか否かを判定し、閾値以内である場合、ステップＳ２０２へ処理を進め、閾値以外である場合、ステップＳ２０３へ処理を進める。
【０１０１】
本ステップにおける判定で用いる閾値は、設定情報テーブルの連写画像判別用閾値に設定された値を用いて判定が行われる。
【０１０２】
ステップＳ２０２では、画像を連写による画像グループ（連写画像グループ）として見做し、Ｅｘｉｆ情報の画像Ｇｒタグに、連写によって画像グループとされたことを識別するための連写画像グループＮＯを設定する。
【０１０３】
このＮＯは、連写画像グループを一意に識別するためのＮＯであり、例えば、図１９に示す画像ＧｒＮＯテーブルに、使用済みのＮＯを記憶しておき、重複が生じないような形態で、このＮＯを設定する。尚、後述する画像を連写に依らず類似画像として画像グループと見做した時に設定するためのＮＯとは、番号体系を別にして設定を行う。
【０１０４】
ステップＳ２０３では、画像に対して撮影前後の画像を取得し、類似画像であるか否かを判定し、類似画像であると判定した場合、ステップＳ２０５へ処理を進め、類似画像であると判定しない場合、処理を終了する。
【０１０５】
ステップＳ２０５では、画像を連写に依らず類似画像として画像グループ（通常画像グループ）として見做し、Ｅｘｉｆ情報の画像Ｇｒタグに、連写に依らず類似画像として画像グループとされたことを識別するための通常画像グループＮＯを設定する。
【０１０６】
次に図１１に示すフローチャートを用いて採用候補画像の自動選択処理について説明する。
【０１０７】
ステップＳ３００では、ステップＳ１０６において選択された画像が属する画像グループが連写画像グループであるか否かを判定し、連写画像グループであると判定した場合、ステップＳ３０１へ処理を進め、連写画像であると判定しない場合は、ステップＳ３０２へ処理を進める。
【０１０８】
本ステップにおける判定方法は、ステップＳ１０６において選択した画像のＥｘｉｆ情報に設定された画像Ｇｒタグに連写画像グループＮＯが設定されているか否かによって判定し、設定されていると判定した場合は、ステップＳ３０１へ処理を進め、設定されていると判定しない場合、ステップＳ３０２へ処理を進める。
【０１０９】
ステップＳ３０１では、連写画像グループの採用候補の自動選択処理を行うが、詳細は、図１２を用いて説明する。
【０１１０】
ステップＳ３０２では、通常画像グループの採用候補の自動選択処理を行うが、詳細は、図１３を用いて説明する。
【０１１１】
次に図１２に示すフローチャートを用いて、連写画像グループの採用候補の自動選択処理について説明する。
【０１１２】
ステップＳ４００では、ステップＳ１０６において選択された画像の画像グループの画像をメモリカード１１５から取得する。
【０１１３】
ステップＳ４０１では、ステップＳ４０１で取得した画像のなかから、最初に撮影された日時を取得し、ステップＳ４０２では、ステップＳ４０１で取得した画像のなかから、最後に撮影された日時を取得する。
【０１１４】
ステップＳ４０３では、採用候補画像数として設定情報テーブルから採用候補画像数を取得する。
【０１１５】
ステップＳ４０４では、ユーザに画像選択させる事前に、ベストショット画像を採用候補画像として表示するが、連写画像グループの全画像からベストショット画像を採用候補画像として選択するのではなく、所定の時間間隔内で、ベストショット画像を採用候補画像として選択する。これによって、一連の動作を撮影した場合、ある動作で撮影された被写体の画像から、ベストショットを選択することが可能である。
【０１１６】
具体的な例としては、走り幅跳び等の一連の動作を撮影した場合、踏切の時点におけるベストショット画像と、着地時点におけるベストショット画像と、何れの画像が必要となる場合が生じ得る。この場合、スタートから着地迄の画像から、ベストショット画像を選択すると、画像の撮影精度に準じた選択となるため、踏切の時点における画像のみがベストショット画像として選択されたり、あるいは、着地の時点における画像のみがベストショット画像として選択されたり、更には、踏切あるいは着地における画像は選択されずに、スタートから助走におけるベストショット画像が選択されることもありうる。
【０１１７】
このような事象に対応するために、本ステップでは、所定の時間間隔内で、ベストショット画像を採用候補画像として選択する。
【０１１８】
本ステップでは、ステップＳ４０２で取得した最後に撮影された日時から最初に撮影された日時を差し引き、ステップＳ４０３で取得した採用候補画像数で除した値を、前述の所定の時間間隔（グループ分け用単位時間）とする。
【０１１９】
ステップＳ４０５では、連写画像グループに属する画像のグループ分けを、ステップＳ４０４で算出したグループ分け用単位時間を用いて行う。つまり、最初に撮影された画像からグループ分け用単位時間以内に撮影された画像を１番目のグループとし、次に１番目のグループと見做されなかった最先の画像からこの最先の画像の撮影日時からグループ分け用単位時間以内に撮影された画像を２番目のグループとして等、全ての画像を更にグループ分けする。
【０１２０】
ステップＳ４０６では、ステップＳ４０５においてグループ分けされた画像グループに対して、１グループずつ、採用候補画像を選択する。尚、この採用候補画像は前述したようにベストショット画像を示しており、従来から存在する既存技術を用いて選択を行う。
【０１２１】
ステップＳ４０７では、ステップＳ４０６において採用候補画像と見做された画像のＥｘｉｆ情報に備えられた候補画像フラグに順位を設定する。候補画像フラグは、採用候補画像と見做された画像に対して設定されるためのものであり、時系列的に、１から順に割り振られるものである。
【０１２２】
次に図１３に示すフローチャートを用いて、通常画像グループの採用候補の自動選択処理を説明する。
【０１２３】
ステップＳ５００では、ステップＳ１０６で選択した画像が属する画像グループの画像をメモリカード１１５から取得する。
【０１２４】
ステップＳ５０１では、採用候補画像数として設定情報テーブルから採用候補画像数を取得する。
【０１２５】
ステップＳ５０２では、ステップＳ５０１で取得した画像から採用候補画像を、ステップＳ５０１で取得した採用候補画像数分、選択する。つまり、ベストショット画像の上位から採用候補画像数分、選択する。
【０１２６】
そして、ステップＳ５０３では、ステップＳ５０２において採用候補画像として選択した画像のＥｘｉｆ情報の候補画像フラグに順位を設定する。候補画像フラグは、採用候補画像と見做された画像に対して設定されるためのものであり、時系列的に、１から順に割り振られるものである。
【０１２７】
次に図１４に示すフローチャートを用いて、採用画像の選択処理について説明する。
【０１２８】
ステップＳ６００では、ステップＳ１０６において選択した画像に属する画像グループが連写画像グループであるか否かを判定し、連写グループ画像であると判定した場合は、ステップＳ６０１へ処理を進め、連写グループ画像であると判定しない場合は、ステップＳ６０４へ処理を進める。
【０１２９】
ステップＳ６０１では、連写画像グループに属する画像から選択を行うための画面を作成する処理を行うが、詳細は、図１５を用いて説明する。
【０１３０】
ステップＳ６０２では、連写画像グループに属する画像を選択するためのモードで当該画像を再生表示する処理を行うが、詳細は、図１６を用いて説明する。
【０１３１】
ステップＳ６０３では、ユーザによって、連写画像選択画面６００の候補確定ボタン６０５が押下されたことを検知して、連写用チェックボックス６０３に印がなされた画像を採用候補画像と見做すため、前述のように候補画像フラグに順位を設定する。
【０１３２】
そして、ステップＳ６０４では、通常画像グループに属する画像を選択するための画面を作成する処理を行うが、詳細は、図１７を用いて説明する。
【０１３３】
ステップＳ６０５では、通常画像グループに属する画像を選択するためのモードで当該画像を再生表示する処理を行うが、詳細は、図１８を用いて説明する。
【０１３４】
ステップＳ６０６では、通常画像選択画面７００を用いて、ユーザが触れた画像を、選択された画像として受付ける。
【０１３５】
次に図１５に示すフローチャートを用いて、連写画像の選択用画面を作成する処理について説明する。
【０１３６】
ステップＳ７００では、ステップＳ１０６において選択した画像グループの画像をメモリカード１１５から取得し、ステップＳ７０１では、取得した全ての画像のサムネイル画像を作成する。
【０１３７】
ステップＳ７０２では、ステップＳ１０７において採用候補画像と見做した画像以外の画像に対応するサムネイル画像をグレー化し、ステップＳ７０３では、連写画像選択画面６００を液晶ディスプレイ１１７へ表示する。
【０１３８】
次に図１６に示すフローチャートを用いて、連写画像グループに属する画像を選択するためのモードで当該画像を再生表示する処理について説明する。
【０１３９】
ステップＳ８００では、ステップＳ７０１で作成したサムネイル画像を取得し、ステップＳ８０１では、ステップＳ７０１で取得した連写画像グループに属する画像とステップＳ７０２でグレー化したサムネイル画像を取得する。
【０１４０】
ステップＳ８０２では、連写画像グループのi番目の画像を主連写画像表示領域６０１へ表示し、ステップＳ８０３では、i番目の画像のサムネイル画像を副連写画像表示領域６０２へ表示する。尚、本ステップでは、サムネイル画像がステップＳ７０２においてグレー化されている場合は、グレー化されたサムネイル画像を表示する。
【０１４１】
ステップＳ８０４では、採用候補画像の変更があったか否かを判定し、変更が有ったと判定した場合は、ステップＳ８０５へ処理を進め、変更が有ったと判定しない場合は、全ての画像に対してステップＳ８０２からステップＳ８０９における処理を行った時、処理を終了し、全ての画像に対して処理を行っていない時、ステップＳ８０２へ処理を進める。
【０１４２】
本ステップにおける判定方法としては、ユーザが、副連写画像表示領域６０２に表示されたサムネイル画像に触れたか否かによって判定し、触れた場合、変更が有ったと判定し、触れなかった場合、変更が有ったと判定しない。
【０１４３】
ステップＳ８０５では、採用候補画像とするか否かを判定し、採用候補画像とすると判定した場合、ステップＳ８０５へ処理を進め、採用候補画像とすると判定しない場合、ステップＳ８０８へ処理を進める。
【０１４４】
本ステップにおける判定方法としては、ステップＳ８０４において変更が有ると見做された画像の連写用チェックボックス６０３に印がなされていない状態で、サムネイル画像が触れられた場合、新たに採用候補画像として選択されるので、採用候補画像とすると判定され、一方、ステップＳ８０４において変更が有ると見做された画像の連写用チェックボックス６０３に印がなれている状態で、サムネイル画像が触れられた場合、採用候補画像から外すことが選択されるので、採用候補画像とすると判定しない。
【０１４５】
ステップＳ８０６では、変更対象画像のサムネイル画像、つまりグレー化されていないサムネイル画像を副連写画像表示領域６０２に表示し、ステップＳ８０７では、変更対象画像の連写用チェックボックス６０３に印を設定する。
【０１４６】
ステップＳ８０８では、変更対象画像のサムネイル画像をグレー化して、サムネイル画像を副連写画像表示領域６０２に表示し、ステップＳ８０９では、変更対象画像の連写用チェックボックス６０３に印の設定を解除する。
【０１４７】
ステップＳ８０２からステップＳ８０９における処理は、全ての画像に対して処理が行われ、iとは、処理する画像の順序を示し、例えば、撮影した日時の順に、iが０から画像数分まで、割り振られる。
【０１４８】
また、ステップＳ８０２からステップＳ８０９までの処理は、スライドショー形式で、所定時間間隔ごとに行われる。
【０１４９】
次に図１７に示すフローチャートを用いて、通常画像の選択用画面の作成処理について説明する。
【０１５０】
ステップＳ９００では、ステップＳ１０７において選択した画像グループの採用候補画像を取得し、ステップＳ９０１では、取得した全ての採用候補画像のサムネイル画像を作成する。
【０１５１】
ステップＳ９０２では、通常画像選択画面７００を液晶ディスプレイ１１７へ表示する。
【０１５２】
次に図１８に示すフローチャートを用いて、通常画像グループに属する画像を選択するためのモードで当該画像を再生表示する処理について説明する。
【０１５３】
ステップＳ１０００では、ステップＳ９０１において作成したサムネイル画像を取得し、ステップＳ１００１では、ステップＳ９０１において取得した採用候補画像を取得する。
【０１５４】
ステップＳ１００２では、採用候補画像のi番目の画像を主通常画像表示領域７０１へ表示し、ステップＳ１００３では、i番目の画像のサムネイル画像を副通常画像表示領域７０２へ表示する。
【０１５５】
ステップＳ１００４では、採用候補画像の変更があるか否かを判定し、採用候補画像の変更があると判定した場合、ステップＳ１００５へ処理を進め、採用候補画像の変更があると判定しない場合、全ての採用候補画像に対してステップＳ１００２からステップＳ１００６における処理を行った時、処理を終了し、全ての画像に対して処理を行っていない時、ステップＳ１００２へ処理を進める。
【０１５６】
本ステップにおける判定方法としては、連写用チェックボックス６０３に印がなれている状態で、サムネイル画像が触れられた場合、採用候補画像から外すことが選択されるので、採用候補画像の変更があると判定する。
【０１５７】
ステップＳ１００５では、変更対象となる採用候補画像のサムネイル画像を副通常画像表示領域７０２に対して非表示とし、ステップＳ１００６では、変更対象となる採用候補画像を、主通常画像表示領域７０１に対して非表示とする。
【０１５８】
尚、ステップＳ１００２からステップＳ１００６までの処理は、スライドショー形式で、所定時間間隔ごとに行われる。
【０１５９】
ステップＳ１００２からステップＳ１００６における処理は、全ての採用候補画像に対して処理が行われ、iとは、処理する採用候補画像の順序を示し、例えば、撮影した日時の順に、iが０から採用候補画像数分まで、割り振られる。
【０１６０】
以上、本発明によれば、ユーザが、撮影して得られた画像を選択するに当たり、その撮影方法によって、ユーザに画像選択させるための当該画像の表示方法を切り替えることで、より効率的に画像の選択を行うことができる。
【０１６１】
また、本発明は、撮影装置を用いた態様を説明したが、本願発明をパーソナルコンピュータ等の情報処理装置に適用可能な事は言うまでもない。
【０１６２】
また、本発明におけるプログラムは、各処理方法をコンピュータが実行可能（読取可能）なプログラムであり、本発明の記憶媒体は、各処理方法をコンピュータが実行可能なプログラムが記憶されている。
【０１６３】
なお、本発明におけるプログラムは、各装置の処理方法ごとのプログラムであってもよい。
【０１６４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１６５】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１６６】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１６７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
また、本発明は、システムあるいは装置にプログラムを供給することによって達成される場合にも適応できることは言うまでもない。
【０１６９】
この場合、本発明を達成するためのプログラムを格納した記録媒体を該システムあるいは装置に読み出すことによって、そのシステムあるいは装置が、本発明の効果を享受することが可能となる。
【０１７０】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１７１】
１００    撮影装置
１０１    レンズ
１０２    撮像素子
１０３    カメラ信号処理部
１０４    画像処理部
１０５    前処理部
１０６    ＹＣ処理部
１０７    電子ズーム処理部
１０８    圧縮部
１０９    伸長部
１１０    システムコントローラ
１１１    バッファメモリ
１１２    フラッシュメモリ
１１３    Ｉ／Ｆ回路
１１４    カードホルダ
１１５    メモリカード
１１６    ディスプレイドライバ
１１７    ディスプレイ
１１８    サウンドドライバ
１１９    スピーカ
１２０    操作部
１２１    電源スイッチ
１２２    モードダイヤル
１２３    撮影ボタン
１２４    カーソルキー
１２５    ズームボタン
１２６    閲覧ボタン
１２７    レンズ制御部
１２８    ＬＥＤドライバ
１２９    ランプ
１３０    書込み部
【図１】
2014107634.tif 000003
【図２】
2014107634.tif 000004
【図３】
2014107634.tif 000005
【図４】
2014107634.tif 000006
【図５】
2014107634.tif 000007
【図６】
2014107634.tif 000008
【図７】
2014107634.tif 000009
【図８】
2014107634.tif 000010
【図９】
2014107634.tif 000011
【図１０】
2014107634.tif 000012
【図１１】
2014107634.tif 000013
【図１２】
2014107634.tif 000014
【図１３】
2014107634.tif 000015
【図１４】
2014107634.tif 000016
【図１５】
2014107634.tif 000017
【図１６】
2014107634.tif 000018
【図１７】
2014107634.tif 000019
【図１８】
2014107634.tif 000020
【図１９】
2014107634.tif 000021